(57)【要約】【課題】遮光線を構成する溝の内部の断面形状を円弧形状とすることにより、フレアやゴーストの発生を軽減させる。【解決手段】レンズ鏡筒を構成する固定筒１２の内周面には、遮光線１４が形成される。遮光線１４は、固定筒１２の内周面に溝を螺旋状に形成することにより形成され、その溝の内部の断面形状は、円弧形状に形成される。このように、遮光線１４を構成する溝の内部の断面形状を円弧形状とすることにより、遮光線１４の溝の内壁面での反射が不規則なものとなり、溝の内面で反射した光によって二次的に発生するフレアやゴーストの発生を効果的に軽減させることができる。【選択図】  図２
2009186906.tif 000002
【特許請求の範囲】
【請求項１】
内周面に遮光線が形成されたレンズ鏡筒において、
前記遮光線を構成する溝の内部の断面形状を円弧形状としたことを特徴とするレンズ鏡筒。
【請求項２】
前記遮光線を構成する溝の内部の断面形状を半円形状としたことを特徴とする請求項１に記載のレンズ鏡筒。
【発明の詳細な説明】
【技術分野】
【０００１】
本発明は、レンズ鏡筒に係り、特にフレアやゴーストを軽減させるための遮光線が形成されたレンズ鏡筒に関する。
【背景技術】
【０００２】
レンズ鏡筒の内面反射によって発生するフレアやゴーストを軽減させる方法の一つとして、レンズ鏡筒の内面に遮光線を形成することが知られている（たとえば、特許文献１〜３参照）。この遮光線は、レンズ鏡筒の内面に溝を螺旋状に加工することにより形成される。そして、従来、この遮光線は、図４に示すように、断面が三角形状に形成され、その溝の内壁面が平坦に形成されていた。
【特許文献１】実開平６−２３１０号公報
【特許文献２】特開平７−２７９６０号公報
【特許文献３】特開平７−２０３６８号公報
【発明の開示】
【発明が解決しようとする課題】
【０００３】
しかしながら、従来の遮光線のように、断面を三角形状に形成し、その溝の内壁面を直線状に形成すると、図４に示すように、溝の内壁面での反射が規則性を持つようになり、二次的にフレアやゴーストの発生要因になるという欠点がある。すなわち、溝の内壁面を直線状に形成すると、反射光の方向に指向性が強くでるため、溝の内壁面で反射した光が二次的にフレアやゴーストの要因になる場合がある。
【０００４】
本発明は、このような事情に鑑みてなされたもので、鏡筒の内面反射によって発生するフレアやゴーストを効果的に軽減させることができるレンズ鏡筒を提供することを目的とする。
【課題を解決するための手段】
【０００５】
請求項１に係る発明は、前記目的を達成するために、内周面に遮光線が形成されたレンズ鏡筒において、前記遮光線を構成する溝の内部の断面形状を円弧形状としたことを特徴とするレンズ鏡筒を提供する。
【０００６】
請求項１に係る発明によれば、遮光線を構成する溝の内部の断面形状が円弧形状に形成される。このように、遮光線を構成する溝の内部の断面形状を円弧形状とすることにより、遮光線の溝の内壁面での反射が不規則なものとなり、溝の内面で反射した光によって二次的に発生するフレアやゴーストを効果的に軽減させることができる。すなわち、円弧状に形成された溝の内壁面で光が反射することにより、光が効果的に分散され、溝で反射した光によって二次的に発生するフレアやゴーストを効果的に軽減させることができる。
【０００７】
請求項２に係る発明は、前記目的を達成するために、前記遮光線を構成する溝の内部の断面形状を半円形状としたことを特徴とする請求項１に記載のレンズ鏡筒を提供する。
【０００８】
請求項２に係る発明によれば、遮光線を構成する溝の内部の断面形状を半円形状とすることにより、フレアやゴーストの軽減効果を確保しつつ、レンズ鏡筒の加工性を向上させることができる。
【発明の効果】
【０００９】
本発明に係るレンズ鏡筒によれば、鏡筒の内面反射によって発生するフレアやゴーストを効果的に軽減させることができる。
【発明を実施するための最良の形態】
【００１０】
以下、添付図面に従って本発明に係るレンズ鏡筒の好ましい実施の形態について詳述する。
【００１１】
図１は、本発明が適用されたレンズ装置の一実施形態の構成を示す断面図である。このレンズ装置は、主として監視用に用いられるＣＣＴＶ（Closed Circuit Television）カメラ用のレンズ装置（以下、ＣＣＴＶレンズという。）である。
【００１２】
図１に示すように、このＣＣＴＶレンズ１０は、レンズ鏡筒としての固定筒１２を有しており、その固定筒１２の外周部にフォーカシング用のフォーカス用回転筒１６と、ズーミング用のズーム用回転筒１８とが回転自在に設けられている。
【００１３】
固定筒１２は、前段部１２Ａが後段部１２Ｂよりも大径に形成された円筒状に形成されており、その内周面には、遮光線１４が形成されている（図１では簡略的に図示）。なお、この遮光線１４の構成については、後に詳述する。
【００１４】
固定筒１２の内部には、フォーカスレンズ群２０とズームレンズ群２８が収納配置されている。
【００１５】
フォーカスレンズ群２０は、フォーカスレンズ保持枠２２に保持されており、固定筒１２内の被写体側（前側）に配置されている。
【００１６】
フォーカスレンズ保持枠２２の外周面には、フォーカス用カムピン２４が突出して設けられており、固定筒１２の前段部１２Ａに形成されたフォーカス用直進溝２６に挿通されている。このフォーカス用直進溝２６は、光軸Ｏと平行に形成されており、固定筒１２の前段部１２Ａの外周に貫通して形成されている。フォーカスレンズ群２０は、このフォーカス用カムピン２４がフォーカス用直進溝２６にガイドされることにより、固定筒１２内を光軸Ｏに沿って前後移動自在に支持される。
【００１７】
一方、ズームレンズ群２８は、ズームレンズ保持枠３０に保持されており、固定筒１２内でフォーカスレンズ群２０の後側に配置されている。
【００１８】
ズームレンズ保持枠３０の外周面には、ズーム用カムピン３２が突出して設けられており、固定筒１２の後段部１２Ｂに形成されたズーム用直進溝３４に挿通されている。このズーム用直進溝３４は、平行に形成されており、固定筒１２の後段部１２Ｂの外周に貫通して形成されている。ズームレンズ群２８は、このズーム用カムピン３２がズーム用直進溝３４にガイドされることにより、固定筒１２内を光軸Ｏに沿って前後移動自在に支持される。
【００１９】
フォーカス用回転筒１６は、円筒状に形成されており、固定筒１２の前段部１２Ａの外周に回転自在に支持されている。このフォーカス用回転筒１６の内周面には、所定のカム形状のフォーカス用カム溝３６が形成されている。フォーカスレンズ保持枠２２に設けられたフォーカス用カムピン２４は、このフォーカス用カム溝３６に嵌合されている。この結果、フォーカス用回転筒１６を回転させると、カムの作用により、フォーカスレンズ群２０が光軸Ｏに沿って前後移動する。そして、このフォーカスレンズ群２０が光軸Ｏに沿って前後移動することにより、ＣＣＴＶレンズ１０のフォーカシングが行われる。
【００２０】
フォーカス用回転筒１６の先端部外周には、所定の幅をもってフォーカスリング部１６Ａが形成されており、このフォーカスリング部１６Ａを回転操作することにより、フォーカス用回転筒全体が回転操作される。なお、このフォーカスリング部１６Ａの外周面には、光軸Ｏと平行な溝１６ａが一定のピッチで多数形成されて、回転操作時における滑り止めの処理が施されている。
【００２１】
ズーム用回転筒１８は、前段部１８Ａが後段部１８Ｂよりも大径に形成された円筒状に形成されている。このズーム用回転筒１８は、その後段部１８Ｂが、固定筒１２の後段部１２Ｂの外周に回転自在に支持されて、固定筒１２の周面を回転自在に支持されている。そして、その前段部１８Ａが、フォーカスリング部１６Ａを除くフォーカス用回転筒１６の外周を覆うように配置されている。
【００２２】
このズーム用回転筒１８の内周面には、所定のカム形状のズーム用カム溝３８が形成されている。ズームレンズ保持枠３０に設けられたズーム用カムピン３２は、このズーム用カム溝３８に嵌合されている。この結果、ズーム用回転筒１８を回転させると、カムの作用により、ズームレンズ群２８が光軸Ｏに沿って前後移動する。そして、このズームレンズ群２８が光軸Ｏに沿って前後移動することにより、ＣＣＴＶレンズ１０のズーミングが行われる。
【００２３】
上記のようにして固定筒１２の外周に回転自在に設けられたフォーカス用回転筒１６とズーム用回転筒１８は、ズーム用回転筒１８の前段部１８Ａの外周に設けられたロックつまみ４０をねじ込むことにより、固定筒１２に固定される。
【００２４】
ロックつまみ４０は、下端にフランジ部４０Ａを有する円筒状に形成されており、その下端部の同軸上にネジ部４０Ｂが一体成形されている。そして、このネジ部４０Ｂが、ズーム用回転筒１８の前段部１８Ａの外周に形成された挿通穴４４を通されて、フォーカス用回転筒１６に形成されたネジ穴４２に螺合されている。
【００２５】
ここで、このズーム用回転筒１８の前段部１８Ａの外周に形成される挿通穴４４は、ネジ部４０Ｂの外径よりも若干大きな内径を有する長孔として形成されており、ズーム用回転筒１８の周方向に所定の角度範囲で形成されている。これにより、フォーカス用回転筒１６とズーム用回転筒１８とが相対的に回転した際、互いの干渉が防止される。
【００２６】
以上のように構成されたロックつまみ４０は、固定筒１２に向けてねじ込むことにより、そのネジ部４０Ｂの先端が固定筒１２の外周面に当接し、これにより、フォーカス用回転筒１６の回転が固定される。また、そのフランジ部４０Ａの下面が、ズーム用回転筒１８の外周面に当接し、これにより、ズーム用回転筒１８の回転が固定される。
【００２７】
さて、上述したように、本実施の形態のＣＣＴＶレンズ１０では、その固定筒１２の内周面に遮光線１４が形成される。この遮光線１４は、固定筒１２の内周面に螺旋状（ネジ状）に形成される。
【００２８】
図２は、固定筒１２の内面に形成された遮光線１４の構成を示す断面拡大図である。同図に示すように、遮光線１４は、固定筒１２の内面に螺旋状の溝として形成されており、その溝の断面形状は、直線部を持たない円弧形状に形成されている。具体的には、本例では、図２に示すように、固定筒１２の内周面上の一点を中心とする半径ｒの円の一部の形状、すなわち、半円形状に形成されている。
【００２９】
このように、遮光線１４を構成する溝の内部の断面形状を円弧形状に形成することにより、溝の内部に入射した光が、分散して反射されるようになり、溝で反射した光によって、二次的に発生するフレアやゴーストを効果的に軽減させることができる。すなわち、溝の内壁面を直線状に形成した場合、溝の内壁面で反射した光に指向性が強くでるが、本実施の形態の遮光線１４のように、溝の内壁面を円弧状に係止することにより、指向性が弱くなり、溝での反射によって二次的に発生するフレアやゴーストを効果的に軽減することができる。
【００３０】
なお、本実施の形態では、溝の内部の断面形状を半円形状としているが、このように、遮光線１４を構成する溝の内部の断面形状を半円形状とすることにより、フレアやゴーストの軽減効果を確保しつつ、加工性を向上させることができる。すなわち、通常、ＣＣＴＶレンズにおいて、レンズ鏡筒は、金属（鉄、アルミ、ステンレス、銅、その他の合金等）で形成され、遮光線は、その内面に切削又は研削加工により形成されるので、溝の内部の断面形状を半円形状とすることにより、加工が容易になる。
【００３１】
なお、レンズ鏡筒の材質については、特に限定されるものではなく、樹脂等で形成することもできる。この場合、成型時に溝を加工形成するようにしてもよい。
【００３２】
また、レンズ鏡筒の内面は、更に反射防止処理を施すことが好ましく、たとえば、金属製のレンズ鏡筒の場合は、黒色塗装等を施すことが好ましい。
【００３３】
また、本実施の形態では、加工の容易性を考慮して、遮光線を構成する溝の内部の断面形状を半円形状としているが、溝の内部の断面形状は、これに限定されるものではない。円弧形状であればよく、入射した光を反射して効率よく分散できる形状であればよい。
【００３４】
たとえば、図３（ａ）に示すように、半径ｒの円の中心をレンズ鏡筒の中心側にずらして形成される円の一部の形状として形成してもよい。また、その逆に半径ｒの円の中心をレンズ鏡筒の外周側にずらして形成される円の一部の形状として形成してもよい。
【００３５】
また、図３（ｂ）に示すように、楕円の一部の形状として形成してもよいし（同図に示す例では、半楕円形状）、図３（ｃ）に示すように、所定の二次曲線形状に形成してもよい。また、図３（ｄ）に示すように、複数の曲率からなる曲線形状に形成してもよい。反射特性を考慮した上でレンズ鏡筒の肉厚等を考慮して、適宜最適な形状に設定することが好ましい。
【００３６】
また、上記実施の形態では、レンズ鏡筒の内面に溝を螺旋状（ネジ状）に形成して遮光線を形成しているが、環状の溝を光軸方向に一定ピッチで多数形成することにより、遮光線を形成するようにしてもよい。
【００３７】
なお、上記実施の形態では、本発明をＣＣＴＶレンズのレンズ鏡筒（固定筒）に適用した場合を例に説明したが、本発明の適用は、これに限定されるものではない。この他、たとえば、ＥＮＧレンズや一眼レフカメラ用のレンズ、コンパクトカメラ用のレンズ等のレンズ鏡筒にも同様に適用することができる。
【図面の簡単な説明】
【００３８】
【図１】本発明が適用されたレンズ装置の一実施形態の構成を示す断面図
【図２】固定筒の内面に形成された遮光線の構成を示す断面拡大図
【図３】遮光線の他の実施の形態の一例を示す断面拡大図
【図４】従来の遮光線の構成を示す断面拡大図
【符号の説明】
【００３９】
１０…ＣＣＴＶレンズ、１２…固定筒、１４…遮光線、１６…フォーカス用回転筒、１８…ズーム用回転筒、２０…フォーカスレンズ群、２８…ズームレンズ群
【図１】
2009186906.tif 000003
【図２】
2009186906.tif 000004
【図３】
2009186906.tif 000005
【図４】
2009186906.tif 000006